(57)【要約】      （修正有）【課題】高性能の液状化粧料塗布具を実現する。【解決手段】液状化粧料塗布具１は、筒状の容器本体２と、容器本体２の内方に向けて設けた突条３ａ付きの筆体保持孔部３と、容器本体２内で筆体保持孔部３に連通させて形成した中綿収納用の中綿用突条４ａ付きの内孔４と、容器本体２の後端に配置した栓体５と、キャップ体６と、内孔４に収納した液状化粧料を含浸させる中綿７と、筆体保持孔部３に装着される液状化粧料の含浸可能なフェルト材で成形された丸棒状の筆体１１とを有する液状化粧料塗布具１であって、筆体１１は、筆体保持孔部３により保持されるとともに後端が中綿７内に挿入された直径１．５〜２．５ｍｍの液状化粧料誘導部１２と、この液状化粧料誘導部１２の先端側に一体形成された基部１３ａ側の径が直径０．５〜１．５ｍｍで、容器本体２から先方に突出する突出端１３ｂ側を先細状とした筆先部１３とを具備するものである。【選択図】図１
2012019845.tif 000002
【特許請求の範囲】
【請求項１】
筒状の容器本体と、
前記容器本体の先端側から容器本体内方に向けて設けた筆体保持孔部により保持した液状化粧料の含浸可能な材質で成形された筆体と、
前記容器本体内で筆体保持孔部に連通させて形成した中綿収納用の内孔内に収納した液状化粧料を含浸させる中綿と、
を有する液状化粧料塗布具であって、
前記筆体は、
前記筆体保持孔部により保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、
を具備することを特徴とする液状化粧料塗布具。
【請求項２】
筒状の容器本体と、
前記容器本体の先端側から容器本体内方に向けて設けた突条付きの筆体保持孔部と、
前記容器本体内で筆体保持孔部に連通させて形成した中綿収納用の中綿用突条付きの内孔と、
容器本体の後端に配置した栓体と、
前記容器本体の先端側に装着されるキャップ体と、
前記内孔に中綿用突条により保持して収納した液状化粧料を含浸させる中綿と、
前記筆体保持孔部に装着される液状化粧料の含浸可能な材質で成形された筆体と、
を有する液状化粧料塗布具であって、
前記筆体は、
前記筆体保持孔部に設けた突条により保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、
を具備することを特徴とする液状化粧料塗布具。
【請求項３】
筒状の容器本体と、
前記容器本体の先端側から容器本体内方に向けて設けた突条付きの筆体保持孔部と、
前記容器本体内で筆体保持孔部に連通させて形成した中綿収納用の中綿用突条付きの内孔と、
容器本体の後端に配置した栓体と、
前記容器本体の先端側に装着されるキャップ体と、
前記内孔に中綿用突条により保持して収納した液状化粧料を含浸させる中綿と、
前記筆体保持孔部に装着される液状化粧料の含浸可能な材質で成形された筆体と、
を有する液状化粧料塗布具であって、
前記筆体は、
前記筆体保持孔部に設けた突条により保持されるとともに後端が前記中綿内に挿入された直径１．５〜２．５ｍｍの液状化粧料誘導部と、この液状化粧料誘導部の先端側に一体形成された基部側の径が前記液状化粧料誘導部の径よりも小径である直径０．５〜１．５ｍｍで、容器本体から先方に突出する突出端側を前記基部より細くした先細状の筆先部と、
を具備することを特徴とする液状化粧料塗布具。
【請求項４】
筒状の容器本体と、
前記容器本体の先端側から容器本体内方に向けて設けた筆体保持孔部により保持した液状化粧料の含浸可能な材質で成形された筆体と、
前記容器本体内で筆体保持孔部に連通させて形成した中綿収納用の内孔内に収納した液状化粧料を含浸させる中綿と、
を有する液状化粧料塗布具であって、
前記筆体は、
前記筆体保持孔部内に保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、
を具備し、
前記筆体保持孔部は、
当該筆体保持孔部の内壁に長さ方向に沿って突出させた前記液状化粧料誘導部に当接してこの液状化粧料誘導部保持する複数の突条と、前記筆体保持孔部の内壁における突条の周りに設けた毛細管力により液状化粧料を一時的に貯め筆体側に放出する凹凸溝部と、
を具備すること、
を特徴とする液状化粧料塗布具。
【請求項５】
筒状の容器本体と、
前記容器本体の先端側から容器本体内方に向けて設けた筆体保持孔部と、
前記容器本体内で筆体保持孔部に連通させて形成した中綿収納用の中綿用突条付きの内孔と、
容器本体の後端に配置した栓体と、
前記容器本体の先端側に装着されるキャップ体と、
前記内孔に中綿用突条により保持して収納した液状化粧料を含浸させる中綿と、
前記筆体保持孔部に装着される液状化粧料の含浸可能な材質で成形された筆体と、
を有する液状化粧料塗布具であって、
前記筆体は、
前記筆体保持孔部内に保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、
を具備し、
前記筆体保持孔部は、
当該筆体保持孔部の内壁に長さ方向に沿って突出させた前記液状化粧料誘導部に当接してこの液状化粧料誘導部を保持する複数の突条と、前記筆体保持孔部の内壁における突条の周りに設けた毛細管力により液状化粧料を一時的に貯め筆体側に放出する凹凸溝部と、
を具備すること、
を特徴とする液状化粧料塗布具。
【請求項６】
筒状の容器本体と、
前記容器本体の先端側から容器本体内方に向けて設けた筆体保持孔部と、
前記容器本体内で筆体保持孔部に連通させて形成した中綿収納用の中綿用突条付きの内孔と、
容器本体の後端に配置した栓体と、
前記容器本体の先端側に装着されるキャップ体と、
前記内孔に中綿用突条により保持して収納した液状化粧料を含浸させる中綿と、
前記筆体保持孔部に装着される液状化粧料の含浸可能な材質で成形された筆体と、
を有する液状化粧料塗布具であって、
前記筆体は、
前記筆体保持孔部内に保持されるとともに後端が前記中綿内に挿入された直径１．５〜２．５ｍｍの液状化粧料誘導部と、この液状化粧料誘導部の先端側に一体形成された基部側の径が前記液状化粧料誘導部の径よりも小径である直径０．５〜１．５ｍｍで、容器本体から先方に突出する突出端側を前記基部より細くした先細状の筆先部と、
を具備し、
前記筆体保持孔部は、
当該筆体保持孔部の内壁に長さ方向に沿って突出させた前記液状化粧料誘導部に当接してこの液状化粧料誘導部を保持する複数の突条と、前記筆体保持孔部の内壁における突条の周りに設けた毛細管力により液状化粧料を一時的に貯め筆体側に放出する前記筆体の長さ方向、筆体の長さ方向と直交する方向、螺旋状又は筆体の長さ方向に対して傾斜した方向のいずれかの形態の凹凸溝部と、
を具備すること、
を特徴とする液状化粧料塗布具。
【請求項７】
筒状の容器本体と、
前記容器本体の先端側から容器本体内方に向けて設けた筆体保持孔部により保持した液状化粧料の含浸可能な材質で成形された筆体と、
前記容器本体内で筆体保持孔部に連通させて形成した中綿収納用の内孔内に収納した液状化粧料を含浸させる中綿と、
を有する液状化粧料塗布具であって、
前記筆体は、
前記筆体保持孔部内に保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、
を具備し、
前記筆体保持孔部は、
容器本体の先端側内壁部を最狭孔部として前記筆体の液状化粧料誘導部外周を挿通し、容器本体内方に至るほど段階的に広径として、前記筆体保持孔部と液状化粧料誘導部外周との間に毛細管力発生部である隙間領域を形成したこと、
を特徴とする液状化粧料塗布具。
【請求項８】
筒状の容器本体と、
前記容器本体の先端側から容器本体内方に向けて設けた筆体保持孔部と、
前記容器本体内で筆体保持孔部に連通させて形成した中綿収納用の中綿用突条付きの内孔と、
容器本体の後端に配置した栓体と、
前記容器本体の先端側に装着されるキャップ体と、
前記内孔に中綿用突条により保持して収納した液状化粧料を含浸させる中綿と、
前記筆体保持孔部に装着される液状化粧料の含浸可能な材質で成形された筆体と、
を有する液状化粧料塗布具であって、
前記筆体は、
前記筆体保持孔部内に保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、
を具備し、
前記筆体保持孔部は、
当該筆体保持孔部の内壁に長さ方向に沿って突出させた前記液状化粧料誘導部に当接してこの液状化粧料誘導部を保持する複数の突条を有するとともに、容器本体の先端側内壁部を最狭孔部とし、容器本体内方に至るほど段階的に広径として、前記筆体保持孔部と液状化粧料誘導部外周との間に毛細管力発生部である隙間領域を形成したこと、
を特徴とする液状化粧料塗布具。
【請求項９】
筒状の容器本体と、
前記容器本体の先端側から容器本体内方に向けて設けた筆体保持孔部と、
前記容器本体内で筆体保持孔部に連通させて形成した中綿収納用の中綿用突条付きの内孔と、
容器本体の後端に配置した栓体と、
前記容器本体の先端側に装着されるキャップ体と、
前記内孔に中綿用突条により保持して収納した液状化粧料を含浸させる中綿と、
前記筆体保持孔部に装着される液状化粧料の含浸可能な材質で成形された筆体と、
を有する液状化粧料塗布具であって、
前記筆体は、
前記筆体保持孔部内に保持されるとともに後端が前記中綿内に挿入された直径１．５〜２．５ｍｍの液状化粧料誘導部と、この液状化粧料誘導部の先端側に一体形成された基部側の径が前記液状化粧料誘導部の径よりも小径である直径０．５〜１．５ｍｍで、容器本体から先方に突出する突出端側を前記基部より細くした先細状の筆先部と、
を具備し、
前記筆体保持孔部は、
当該筆体保持孔部の内壁に長さ方向に沿って突出させた前記液状化粧料誘導部に当接してこの液状化粧料誘導部を保持する複数の突条を有するとともに、容器本体の先端側内壁部を最狭孔部とし、容器本体内方に至るほど段階的に広径として、前記筆体保持孔部と液状化粧料誘導部外周との間に毛細管力発生部である隙間領域を形成したこと、
を特徴とする液状化粧料塗布具。
【請求項１０】
筒状の容器本体と、
前記容器本体の先端側から容器本体内方に向けて設けた筆体保持孔部により保持した液状化粧料の含浸可能な材質で成形された筆体と、
前記容器本体内で筆体保持孔部に連通させて形成した中綿収納用の内孔内に収納した液状化粧料を含浸させる中綿と、
を有する液状化粧料塗布具であって、
前記筆体は、
前記筆体保持孔部により保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、
を具備し、
前記筆体保持孔部の内径と、該筆体保持孔部に設けた突条の突出寸法とを調整して前記筆体保持孔部と液状化粧料誘導部との間の隙間領域を調整することにより、液状化粧料を保持する毛細管力を調整可能としたことを特徴とする液状化粧料塗布具。
【請求項１１】
筒状の容器本体と、
前記容器本体の先端側から容器本体内方に向けて設けた突条付きの筆体保持孔部と、
前記容器本体内で筆体保持孔部に連通させて形成した中綿収納用の中綿用突条付きの内孔と、
容器本体の後端に配置した栓体と、
前記容器本体の先端側に装着されるキャップ体と、
前記内孔に中綿用突条により保持して収納した液状化粧料を含浸させる中綿と、
前記筆体保持孔部に装着される液状化粧料の含浸可能な材質で成形された筆体と、
を有する液状化粧料塗布具であって、
前記筆体は、
前記筆体保持孔部に設けた突条により保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、
を具備し、
前記筆体保持孔部の内径と、該筆体保持孔部に設けた突条の突出寸法とを調整して前記筆体保持孔部と液状化粧料誘導部との間の隙間領域を調整することにより、液状化粧料を保持する毛細管力を調整可能としたことを特徴とする液状化粧料塗布具。
【請求項１２】
筒状の容器本体と、
前記容器本体の先端側から容器本体内方に向けて設けた突条付きの筆体保持孔部と、
前記容器本体内で筆体保持孔部に連通させて形成した中綿収納用の中綿用突条付きの内孔と、
容器本体の後端に配置した栓体と、
前記容器本体の先端側に装着されるキャップ体と、
前記内孔に中綿用突条により保持して収納した液状化粧料を含浸させる中綿と、
前記筆体保持孔部に装着される液状化粧料の含浸可能な材質で成形された筆体と、
を有する液状化粧料塗布具であって、
前記筆体は、
前記筆体保持孔部に設けた突条により保持されるとともに、後端が前記中綿内に挿入された直径１．５〜２．５ｍｍの液状化粧料誘導部と、この液状化粧料誘導部の先端側に一体形成された基部側の径が前記液状化粧料誘導部の径よりも小径である直径０．５〜１．５ｍｍで、容器本体から先方に突出する突出端側を前記基部より細くした先細状の筆先部とを具備し、
前記筆体保持孔部の内径と、該筆体保持孔部に設けた突条の突出寸法とを調整して前記筆体保持孔部と液状化粧料誘導部との間の隙間領域を調整することにより、液状化粧料を保持する毛細管力を調整可能としたことを特徴とする液状化粧料塗布具。
【請求項１３】
前記筒状の容器本体は、筆体保持孔部の先端側に、前記筆体における先細状の筆先部を貫通させるとともに、先細状の筆先部の基部側との間に液状化粧料保持空間を形成する先端側孔付き端部を備えることを特徴とする請求項１乃至１２のいずれかに記載の液状化粧料塗布具。
【発明の詳細な説明】
【技術分野】
【０００１】
本発明は、液状化粧料塗布具に関し、詳しくは、対象箇所への液状化粧料の細密な筆記性、塗布性を確保でき、かつ、液状化粧料の供給安定性を実現し、かすれ、筆記不良の生じない高性能な筆ペン仕様の液状化粧料塗布具に関するものである。
【背景技術】
【０００２】
種々の液状化粧料塗布具のうち、例えば目の回りの皮膚等に対する化粧料塗布部分にフェルト材からなる丸棒状の筆体を用いたアイライナーのような液状化粧料塗布具は、当該筆体の液状化粧料誘導部分から筆先近傍部分まで同径（例えば、直径２．０〜２．５ｍｍ）で、筆先部分のみをそのままテーパー状に削り込み、先細状としたものを採用することが通常である。
【０００３】
このため、テーパー状の部分の寸法が短いと筆先部分が太くて目の回りの皮膚等に対とて微細な線を筆記することができなくなる。
【０００４】
また、筆先を細く加工しようとした場合、テーパー状の部分の寸法を長くする必要があり、形状、強度の点で無理が起きる。
【０００５】
次に、初めから細径（例えば、直径１．０ｍｍ）の筆体を用いることもあるが、筆体自体の径が細くなることにより液状化粧料保持量の低下や、断面積が狭い（直径１．０ｍｍの場合、０．７８５ｍｍ２）ことに起因する供給量の低下を招いてしまう。更には、フェルト材からなる筆体の強度を出すために、筆先を硬くする必要があり、皮膚の負担が大きくなるという不都合が生じる。
【０００６】
また、液状化粧料誘導部分を太く形成し、その一端に筆先用の細径のフェルト材を接合し一体化することも可能であるが、この場合には接合部分での液状化粧料の流通不良が生じたり、加工コストの上昇を招くという問題が生じる。
【０００７】
従来の筆ペン仕様の化粧料塗布具や筆記具等の製品について更に考察すると、これらの製品としては、筆先にフェルトや、化学繊維の毛を使用したものが多く製造され販売されている。
【０００８】
しかし、これらの製品においては、その保管環境や、内容物の物性（粘度、皮膜剤）の変化によりカスレ或いは筆記不能が生じたり、長期安定性の点で不具合が発生するものが多い。
【０００９】
また、これらの製品化にあったって、上述したような不具合を回避するために、配合成分を調整し耐水性を低くした製品や、容器に特殊な構造の部品（蛇腹・ポンプ等）を組み付けることで不具合発生を防いでいるのが実情である。
【００１０】
しかし、容器に特殊な構造の部品を付加する対策では、結果的に製品コストの上昇を招いてしまう。
【００１１】
特許文献１には、本体と、塗布芯と、本体内に設けられ、塗布液を保持しうる柱状の第一液保持体と、塗布芯の塗布部を覆うキャップと、キャップ内に設けられ塗布芯の塗布部と接触しうる柱状の第二液保持体と、からなるペン型塗布具において、上記第一液保持体の外周面に隙間を形成させ、上記本体との該隙間が第一液保持体の両端間を結ぶ空気路となるとともに、該空気路が塗布芯の筆記部の周囲に形成される空気路口と連通し、また上記第二液保持体の外周面に隙間を形成させて、上記キャップとの該隙間が第二液保持体の両端間を結ぶ空気路となるとともに、上記キャップで塗布芯を被せた状態で該空気路が上記本体の空気路口と連通させた構成からなるペン型塗布具が提案されている。
【００１２】
特許文献２には、筒状の容器本体の前端にペン保持部を設け且つ後端を尾栓で封止して、容器本体の内部に二つ折りされた液状化粧料含浸の中綿を装填するとともに、この中綿の二つ折り内面間に液状化粧料の含浸可能な材質で成形された保持芯棒を介装して、ペン保持部に液状化粧料の浸透が可能な材質によるペン先を着脱自在に装着して、その後、端面が中綿と保持芯棒の前端部とにそれぞれ接触するようにして、ペン保持部の外周面に螺合してペン先を被覆保護できるようにキャップを形成した液状化粧料塗布具が提案されている。
【００１３】
しかし、特許文献１の塗布芯、特許文献２のペン先のいずれにおいても、やはり先端近傍部分まで同径で、先端部分のみをそのまま削り込みテーパー状として先端側を先細状としたものであり、既述した場合同様、先端部分が太くて目の回りの皮膚等に対して微細な線を筆記することが難しいという問題を包含している。
【先行技術文献】
【特許文献】
【００１４】
【特許文献１】特開２００４−９３８１号公報
【特許文献１】実公平６−２６００号公報
【発明の概要】
【発明が解決しようとする課題】
【００１５】
本発明が解決しようとする問題点は、対象箇所への液状化粧料の細密な筆記性、塗布性を確保でき、かつ、液状化粧料の供給安定性を実現し、かすれ、筆記不良が生じないような液状化粧料塗布具が存在しない点である。
【課題を解決するための手段】
【００１６】
本発明は、筒状の容器本体と、前記容器本体の先端側から容器本体内方に向けて設けた筆体保持孔部により保持した液状化粧料の含浸可能な材質で成形された筆体と、前記容器本体内で筆体保持孔部に連通させて形成した中綿収納用の内孔内に収納した液状化粧料を含浸させる中綿と、を有する液状化粧料塗布具であって、前記筆体は、前記筆体保持孔部により保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、を具備することを最も主要な特徴とする。
【発明の効果】
【００１７】
請求項１記載の発明によれば、目の周りの皮膚等のような対象箇所へ液状化粧料を塗布するための筆体を、太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部とにより構成したことにより、前記対象箇所への細密な線を塗布することが可能であり、また、液状化粧料の供給量が安定し、筆体を細くした際に懸念される、液状化粧料の供給不足、かすれ、筆記不良等のような不具合発生を回避することが可能な液状化粧料塗布具を実現し提供することができる。
【００１８】
請求項２記載の発明によれば、筒状の容器本体と、前記容器本体の先端側から容器本体内方に向けて設けた突条付きの筆体保持孔部と、前記容器本体内で筆体保持孔部に連通させて形成した中綿収納用の中綿用突条付きの内孔と、容器本体の後端に配置した栓体と、前記容器本体の先端側に装着されるキャップ体と、前記内孔に中綿用突条により保持して収納した液状化粧料を含浸させる中綿と、前記筆体保持孔部に装着される液状化粧料の含浸可能な材質で成形された筆体と、を有する構成とし、前記筆体を、太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部とにより構成して、目の周りの皮膚等のような対象箇所への細密な線を塗布することが可能であり、また、液状化粧料の供給量が安定し、筆体を細くした際に懸念される、液状化粧料の供給不足、かすれ、筆記不良等のような不具合発生を回避することが可能な液状化粧料塗布具を実現し提供することができる。
【００１９】
請求項３記載の発明によれば、請求項２記載の発明と同様な構成で、かつ、前記筆体を、前記筆体保持孔部により保持されるとともに後端が前記中綿内に挿入された直径１．５〜２．５ｍｍの液状化粧料誘導部と、この液状化粧料誘導部の先端側に一体形成された基部側の径が前記液状化粧料誘導部の径よりも小径である直径０．５〜１．５ｍｍで、容器本体から先方に突出する突出端側を前記基部より細くした先細状の筆先部と、を有する構成の基に、目の周りの皮膚等のような対象箇所への細密な線を塗布することが可能であり、また、液状化粧料の供給量が安定し、筆体を細くした際に懸念される、液状化粧料の供給不足、かすれ、筆記不良等のような不具合発生を回避することが可能な液状化粧料塗布具を実現し提供することができる。
【００２０】
請求項４記載の発明によれば、目の周りの皮膚等のような対象箇所へ液状化粧料を塗布するための筆体を、筆体保持孔部により保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、を具備する構成とし、かつ、筆体保持孔部を、当該筆体保持孔部の内壁に長さ方向に沿って突出させた前記筆体外周部に当接してこの筆体を保持する複数の突条と、前記筆体保持孔部の内壁における突条の周りに設けた毛細管力により液状化粧料を一時的に貯め筆体側に放出する凹凸溝部と、を具備する構成として、対象箇所への細密な線を塗布することが可能であり、また、凹凸溝部による毛細管力の利用により液状化粧料の筆体への供給量がより安定し、筆体を細くした際に懸念される、液状化粧料の供給不足、かすれ、筆記不良等のような不具合発生を回避することが可能な液状化粧料塗布具を実現し提供することができる。
【００２１】
請求項５記載の発明によれば、筒状の容器本体と、前記容器本体の先端側から容器本体内方に向けて設けた筆体保持孔部と、前記容器本体内で筆体保持孔部に連通させて形成した中綿収納用の中綿用突条付きの内孔と、容器本体の後端に配置した栓体と、前記容器本体の先端側に装着されるキャップ体と、前記内孔に中綿用突条により保持して収納した液状化粧料を含浸させる中綿と、前記筆体保持孔部に装着される液状化粧料の含浸可能な材質で成形された筆体と、を有する構成とし、前記筆体を、前記筆体保持孔部内に保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、により構成し、前記筆体保持孔部を、当該筆体保持孔部の内壁に長さ方向に沿って突出させた前記液状化粧料誘導部に当接してこの液状化粧料誘導部を保持する複数の突条と、前記筆体保持孔部の内壁における突条の周りに設けた毛細管力により液状化粧料を一時的に貯め筆体側に放出する凹凸溝部と、を具備する構成として、対象箇所への細密な線を塗布することが可能であり、また、凹凸溝部による毛細管力の利用により液状化粧料の筆体への供給量がより安定し、筆体を細くした際に懸念される、液状化粧料の供給不足、かすれ、筆記不良等のような不具合発生を回避することが可能な液状化粧料塗布具を実現し提供することができる。
【００２２】
請求項６記載の発明によれば、請求項５記載の発明と同様な構成で、かつ、前記筆体を、前記筆体保持孔部内に保持されるとともに後端が前記中綿内に挿入された直径１．５〜２．５ｍｍの液状化粧料誘導部と、この液状化粧料誘導部の先端側に一体形成された基部側の径が前記液状化粧料誘導部の径よりも小径である直径０．５〜１．５ｍｍで、容器本体から先方に突出する突出端側を前記基部より細くした先細状の筆先部と、を有する構成の基に、対象箇所への細密な線を塗布することが可能であり、また、凹凸溝部による毛細管力の利用により液状化粧料の筆体への供給量がより安定し、筆体を細くした際に懸念される、液状化粧料の供給不足、かすれ、筆記不良等のような不具合発生を回避することが可能な液状化粧料塗布具を実現し提供することができる。
【００２３】
請求項７記載の発明によれば、目の周りの皮膚等のような対象箇所へ液状化粧料を塗布するための筆体を、筆体保持孔部により保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、を具備する構成とし、前記筆体保持孔部を、容器本体の先端側内壁部を最狭孔部として前記筆体の液状化粧料誘導部外周を挿通し、容器本体内方に至るほど段階的に広径として、前記筆体保持孔部と液状化粧料誘導部外周との間に毛細管力発生部である隙間領域を形成した構成として、対象箇所への細密な線を塗布することが可能であり、また、前記隙間領域による毛細管力の利用により液状化粧料の筆体への供給量がより安定し、筆体を細くした際に懸念される、液状化粧料の供給不足、かすれ、筆記不良等のような不具合発生を回避することが可能な液状化粧料塗布具を実現し提供することができる。
【００２４】
請求項８記載の発明によれば、筒状の容器本体と、前記容器本体の先端側から容器本体内方に向けて設けた筆体保持孔部と、前記容器本体内で筆体保持孔部に連通させて形成した中綿収納用の中綿用突条付きの内孔と、容器本体の後端に配置した栓体と、前記容器本体の先端側に装着されるキャップ体と、前記内孔に中綿用突条により保持して収納した液状化粧料を含浸させる中綿と、前記筆体保持孔部に装着される液状化粧料の含浸可能な材質で成形された筆体と、を有する構成とし、かつ、目の周りの皮膚等のような対象箇所へ液状化粧料を塗布するための筆体を、前記筆体保持孔部内に保持されるとともに後端が前記中綿内に挿入された太径の液状化粧料誘導部と、この液状化粧料誘導部の先端側に一体形成された基部側の径が前記液状化粧料誘導部の径よりも小径で、容器本体から先方に突出する突出端側を前記基部より細くした先細状の筆先部と、を具備する構成とし、前記筆体保持孔部を、当該筆体保持孔部の内壁に長さ方向に沿って突出させた前記液状化粧料誘導部に当接してこの液状化粧料誘導部を保持する複数の突条を有するとともに、容器本体の先端側内壁部を最狭孔部とし、容器本体内方に至るほど段階的に広径として、前記筆体保持孔部と液状化粧料誘導部外周との間に毛細管力発生部である隙間領域を形成した構成として、対象箇所への細密な線を塗布することが可能であり、また、前記隙間領域による毛細管力の利用により液状化粧料の筆体への供給量がより安定し、筆体を細くした際に懸念される、液状化粧料の供給不足、かすれ、筆記不良等のような不具合発生を回避することが可能な液状化粧料塗布具を実現し提供することができる。
【００２５】
請求項９記載の発明によれば、請求項８記載の発明と同様な構成で、かつ、前記筆体を、前記筆体保持孔部により保持されるとともに後端が前記中綿内に挿入された直径１．５〜２．５ｍｍの液状化粧料誘導部と、この液状化粧料誘導部の先端側に一体形成された基部側の径が前記液状化粧料誘導部の径よりも小径である直径０．５〜１．５ｍｍで、容器本体から先方に突出する突出端側を前記基部より細くした先細状の筆先部と、を有する構成の基に、対象箇所への細密な線を塗布することが可能であり、また、凹凸溝部による毛細管力の利用により液状化粧料の筆体への供給量がより安定し、筆体を細くした際に懸念される、液状化粧料の供給不足、かすれ、筆記不良等のような不具合発生を回避することが可能な液状化粧料塗布具を実現し提供することができる。
【００２６】
請求項１０乃至１２記載の発明によれば、請求項１乃至３記載の発明と同様な構成の基に、筆体保持孔部の内壁と筆体における液状化粧料誘導部の外周との間のクリアランス（隙間領域）を調整するように構成し、液状化粧料に対する毛細管力を大小に調整可能としたものであるから、例えば使用する液状化粧料の種類に応じて隙間領域を最適に設定し、筆先部の液状化粧料が消費された際には前記液状化粧料誘導部を経て筆先部に当該液状化粧料を安定して供給することができ、カスレ、筆記不良が生じることが無く、気圧の変化等に対しても安定した筆記性を維持でき長期安定性に優れた液状化粧料塗布具を実現し提供することができる。
【００２７】
請求項１３記載の発明によれば、液状化粧料保持空間内に液状化粧料を保持することができ、筆先部に当該液状化粧料をより安定して供給することができ、カスレ、筆記不良が生じることが無く、気圧の変化等に対しても安定した筆記性を維持でき長期安定性に優れ、更に、筆体自体が容器本体の先方へ飛び出してしまうという不都合を回避することもできる液状化粧料塗布具を実現することができる。
【図面の簡単な説明】
【００２８】
【図１】図１は本発明の実施例１に係る液状化粧料塗布具の概略断面図である。
【図２】図２は本実施例１に係る液状化粧料塗布具の概略正面図である。
【図３】図１のＡ−Ａ線概略断面図である。
【図４】図１のＢ−Ｂ線概略断面図である。
【図５】図５は本実施例１に係る液状化粧料塗布具における筆体の平面図である。
【図６】図６は本実施例１に係る液状化粧料塗布具における筆体各部の寸法の一例を示す説明図である。
【図７】図７は本発明の実施例２に係る液状化粧料塗布具の概略断面図である。
【図８】図８は本実施例２に係る液状化粧料塗布具の容器本体における筆体保持孔部の突条及び筆体の長さ方向に設けた凹凸溝部を示す概略部分断面図である。
【図９】図９は本実施例２に係る液状化粧料塗布具の容器本体における筆体保持孔部の突条及び筆体の長さ方向に設けた凹凸溝部を示す概略平面図である。
【図１０】図１０は本実施例２に係る液状化粧料塗布具の容器本体における筆体保持孔部の突条及び筆体の長さ方向と直交する方向に設けた凹凸溝部を示す概略部分断面図である。
【図１１】図１１は本実施例２に係る液状化粧料塗布具の容器本体における筆体保持孔部の突条及び螺旋状の凹凸溝部を示す概略部分断面図である。
【図１２】図１２は本実施例２に係る液状化粧料塗布具の容器本体における筆体保持孔部の突条及び筆体の長さ方向に対して傾斜した方向の凹凸溝部を示す概略部分断面図である。
【図１３】図１３は本発明の実施例３に係る液状化粧料塗布具の概略断面図である。
【図１４】図１４は本実施例３に係る液状化粧料塗布具の部分拡大斜視図である。
【図１５】図１５は本発明の実施例４に係る液状化粧料塗布具の概略断面図である。
【図１６】図１６は本実施例４に係る液状化粧料塗布具において筆体保持孔部と筆体とのクリアランスを大とした場合の説明図である。
【図１７】図１７は本実施例４に係る液状化粧料塗布具において筆体保持孔部と筆体とのクリアランスを小とした場合の説明図である。
【図１８】図１８は本発明の実施例３に係る液状化粧料塗布具の概略断面図である。
【発明を実施するための形態】
【００２９】
本発明は、対象箇所への液状化粧料の細密な筆記性、塗布性を確保でき、かつ、液状化粧料の供給安定性を実現し、かすれ、筆記不良の生じない高性能の液状化粧料塗布具を実現し提供するという目的を、筒状の容器本体と、前記容器本体の先端側から容器本体内方に向けて設けた突条付きの筆体保持孔部と、前記容器本体内で筆体保持孔部に連通させて形成した中綿収納用の中綿用突条付きの内孔と、容器本体の後端に配置した栓体と、前記容器本体の先端側に装着されるキャップ体と、前記内孔に中綿用突条により保持して収納した液状化粧料を含浸させる中綿と、前記筆体保持孔部に装着される液状化粧料の含浸可能な材質で成形された筆体と、を有する液状化粧料塗布具であって、前記筆体は、前記筆体保持孔部に設けた突条により保持されるとともに後端が前記中綿内に挿入された直径１．５〜２．５ｍｍの液状化粧料誘導部と、この液状化粧料誘導部の先端側に一体形成された基部側の径が前記液状化粧料誘導部の径よりも小径である直径０．５〜１．５ｍｍで、容器本体から先方に突出する突出端側を前記基部より細くした先細状の筆先部と、を具備する構成により実現した。
【実施例１】
【００３０】
以下、本発明の実施例１に係る液状化粧料塗布具について図面を参照して詳細に説明する。
本実施例１に係る液状化粧料塗布具１は、例えばアイライナー等のような塗布具を構成するものであって、図１、図２に示すように、例えば合成樹脂材からなる略円筒状に形成した容器本体２と、前記容器本体２の先端側から容器本体２内方に向けて設けた断面円形で図３に示すような突条３ａ付きの筆体保持孔部３と、前記容器本体２内で筆体保持孔部３に連通させ、かつ、この容器本体２の後端まで貫通させた断面円形の中綿収納用で、かつ、内周部に図４に示すような中綿用突条４ａを設けた内孔４と、容器本体２の後端に着脱自在に配置した例えば合成樹脂材からなる栓体５と、容器本体２の先端側に着脱可能に装着される例えば合成樹脂材からなるキャップ体（想像線で示す）６と、前記内孔４に前記中綿用突条４ａにより支持される状態で収納した液状化粧料を含浸させる中綿７と、前記筆体保持孔部３に前記突条３ａにより支持される状態で装着される液状化粧料の含浸可能な例えばフェルト材で成形された略丸棒状の筆体１１と、を有している。
すなわち、本実施例１に係る液状化粧料塗布具１は、容器本体２における筆体保持孔部３の内壁に、その長さ方向に沿って突出させた前記筆体１１の液状化粧料誘導部１２の外周部に当接してこの液状化粧料誘導部１２を保持する複数の、例えば液状化粧料誘導部１２の中心に関して９０度間隔配置の４個の突条３ａを液状化粧料誘導部１２の長さ方向に突出させこの４個の突条３ａにより前記液状化粧料誘導部１２を保持するように構成している。
【００３１】
前記筆体１１は、図５、図６に示すように、前記筆体保持孔部３に設けた突条３ａによりその外周部分が保持されるとともに、後端が前記中綿７内に挿入された例えば直径１．５〜２．５ｍｍの液状化粧料誘導部１２と、この液状化粧料誘導部１２の先端側に一体形成された基部１３ａ側の径が前記液状化粧料誘導部１２の径よりも小径である例えば直径０．５〜１．５ｍｍで、容器本体２から先方に突出する突出端１３ｂ側を前記基部１３ａより細くした先細状の筆先部１３と、を具備している。
前記筆先部１３の液状化粧料誘導部１２の先端側からの突出寸法は、例えば５ｍｍ〜１０ｍｍとしている。
【００３２】
前記栓体５は、図１に示すように、前記容器本体２の後端側の内周に設けた凹部２ａに、前記栓体５の嵌込凸部５ｂの外周に設けた突起５ａを嵌合することで、容器本体２の後端に着脱可能に装着するようになっている。前記栓体５と前記容器本体２の後端側とをネジ結合により着脱可能とすることももちろん可能である。
【００３３】
前記キャップ体６は、前記容器本体２の先端側にねじ込み又は嵌め込み等の公知の機構により着脱可能に装着され、先細状の筆先部１３の周りを覆うように構成している。図１
に示す例は、前記キャップ体６の装着先端側の内周に設けた突起６ａを前記容器本体２の先端側の対応する部分に設けた凹部２ｂに着脱可能に装着し、かつ、前記キャップ体６の装着先端側の内周に設けた凹部６ｂに前記容器本体２の先端側の対応する部分に設けた突起２ｃを装着する２段構造を示すものである。前記キャップ体６と容器本体２との着脱構造は、図１に示すものに限定するものでないことはもちろんである。
【００３４】
前記筆体１１の材質は、フェルト材の他、連続気泡を有する発泡性合成樹脂材、焼結樹脂材等を用いることもできる。
【００３５】
前記筆体１１は、通常のフェルト筆ペン仕様の筆先と同様の太さ（直径１．５〜２．５ｍｍ）を有する丸棒状のフェルト素材を用いて液状化粧料誘導部１２とし、この液状化粧料誘導部１２の先端側に、段つき加工により基部１３ａ側の直径が０．５〜１．５ｍｍである先細状の筆先部１３を一体的に形成したものである。
【００３６】
前記液状化粧料誘導部１２の直径は特に限定するものではないが、容器本体２のサイズを考慮すると、直径１．５〜２．５ｍｍ程度が適当な範囲である。
【００３７】
この場合、前記筆体１１は、突出長が短い筆先部１３における基部１３ａ側の直径が０．５〜１．５ｍｍと細いものの、液状化粧料誘導部１２の直径が１．５〜２．５ｍｍと太く、例えば液状化粧料誘導部１２の直径を２．５ｍｍとした場合、その断面積は４．９０６ｍｍ２となり、直径１．０ｍｍの場合の６．２５倍となることから、前記液状化粧料誘導部１２により液状化粧量の保持量を十分に確保することができる。
【００３８】
更に、液状化粧料誘導部１２と筆先部１３とを一体加工しているので、液状化粧料誘導部１２と筆先部１３との境界部分で液状化粧料の流通不良が生じることもない。
【００３９】
本実施例１に係る液状化粧料塗布具１によれば、前記筆体１１における液状化粧料誘導部１２の直径を例えば１．５〜２．５ｍｍと通常のフェルト筆ペン仕様の筆先と同様に太くして液状化粧料の保持量を多くし、また、筆先部１３の基部１３ａ側の直径を０．５〜１．５ｍｍの細径とし、かつ、突出端１３ｂ側を先細状とするとともに、この筆先部１３の突出寸法を例えば５ｍｍ〜１０ｍｍと短く構成している。
【００４０】
従って、前記筆先部１３により目の周りの皮膚等に液状化粧料を塗布する際に、前記液状化粧料誘導部１２から突出寸法の短い筆先部１３へ常に充分の液状化粧料を安定した状態で供給し続けることが可能となり、しかも、目の周りの皮膚等に細密な線を塗布する（描く）ことが可能となる。
【００４１】
また、本実施例１に係る液状化粧料塗布具１によれば、前記筆体１１を採用することで、例えば目の周りの皮膚等に液状化粧料を塗布する際に必要とされる当該液状化粧料の供給量が安定し、筆体を細くした際に懸念される、液状化粧料の供給不足、かすれ、筆記不良等のような不具合発生を回避することが可能となる。
【００４２】
更に、液状化粧料の筆先部１３への供給が安定することで、液状化粧料の処方の許容範囲が広がり、その色調や耐水性、にじみや耐久性を改善した新たな製品の開発に寄与することが可能になる。
【実施例２】
【００４３】
次に、本発明の実施例２に係る液状化粧料塗布具１Ａについて図７乃至図９を参照して詳細に説明する。
【００４４】
なお、本発明の実施例２に係る液状化粧料塗布具１Ａにおいて、上述した実施例１に係る液状化粧料塗布具１の場合と同一の要素には同一の符号を付し、その詳細説明は省略する。
【００４５】
本実施例２に係る液状化粧料塗布具１Ａは、基本的構成は実施例１に係る液状化粧料塗布具１と略同様であるが、容器本体２における筆体保持孔部３の内壁に、その長さ方向に沿って突出させた前記筆体１１の液状化粧料誘導部１２の外周部に当接してこの液状化粧料誘導部１２を保持する複数の、例えば液状化粧料誘導部１２の中心に関して９０度間隔配置の４個の突条３ａを液状化粧料誘導部１２の長さ方向に突出させこの４個の突条３ａにより前記液状化粧料誘導部１２を保持するように構成したこと、及び、前記筆体保持孔部３の内壁における各突条３ａの周りの領域に同じく液状化粧料誘導部１２の長さ方向に沿って微細な凹凸溝部３ｂを設け、毛細管力により液状化粧料を一時的に貯め筆体１１の液状化粧料誘導部１２側に放出させるようにしたことが特徴である。
【００４６】
前記凹凸溝部３ｂは、筆体保持孔部３の内壁面に対して、溝の最深部が例えば０．０５ｍｍ〜１．５ｍｍの深さを有するように設けている。前記凹凸溝部３ｂの毛細管力は、前記筆体１１の筆先部１３の毛細管力よりも小さくなるように設定している。
【００４７】
本実施例２に係る液状化粧料塗布具１Ａによれば、実施例１に係る液状化粧料塗布具１の場合と同様、前記筆体１１を採用することで、目の周りの皮膚等に細密な線を塗布する（描く）ことが可能となる。
【００４８】
また、例えば目の周りの皮膚等に液状化粧料を塗布する際に必要とされる当該液状化粧料の供給量が安定し、筆体自体を細くした場合に懸念される液状化粧料の供給不足、かすれ、筆記不良等のような不具合発生を回避することができる。
【００４９】
すなわち、本実施例２に係る液状化粧料塗布具１Ａによれば、前記４個の突条３ａにより前記液状化粧料誘導部１２を保持し、前記筆体保持孔部３の内壁における各突条３ａの周りの領域に同じく液状化粧料誘導部１２の長さ方向に沿って微細な凹凸溝部３ｂを設け、前記筆先部１３の毛細管力よりも小さい毛細管力により液状化粧料を一時的に貯め筆体１１の液状化粧料誘導部１２側に放出させるようにしているので、過剰に液状化粧料が存在する場合には、その液状化粧料を一時的に貯め、前記筆先部１３の液状化粧料が消費された際には前記液状化粧料誘導部１２を経て筆先部１３に液状化粧料を安定して供給することができる。
【００５０】
更に、実施例１に係る液状化粧料塗布具１の場合と同様、液状化粧料の筆先部１３への供給が安定することで、液状化粧料の処方の許容範囲が広がり、その色調や耐水性、にじみや耐久性を改善した新たな製品の開発に寄与することが可能になる。
【００５１】
図１０は、本実施例２に係る液状化粧料塗布具１Ａにおいて、容器本体２における筆体保持孔部３の内壁に、前記凹凸溝部３ｂに替えて、前記液状化粧料誘導部１２の長さ方向と直交する方向の微細な凹凸溝部３ｃを設けた例を示すものである。
【００５２】
図１１は、本実施例２に係る液状化粧料塗布具１Ａにおいて、容器本体２における筆体保持孔部３の内壁に、前記凹凸溝部３ｂに替えて、螺旋状の凹凸溝部３ｄを設けた例を示すものである。
【００５３】
図１２は、本実施例２に係る液状化粧料塗布具１Ａにおいて、容器本体２における筆体保持孔部３の内壁に、長さ方向に対して傾斜した方向の凹凸溝部３ｅを設けた例を示すものである。
【００５４】
前記凹凸溝部３ｃ、３ｄ、３ｅは、前記凹凸溝部３ｂの場合と同様、各々前記筆体保持孔部３の内壁面に対して、溝の最深部が例えば０．０５ｍｍ〜１．５ｍｍの深さを有するように設けている。
【００５５】
また、前記凹凸溝部３ｃ、３ｄ、３ｅの毛細管力は、前記凹凸溝部３ｂの場合と同様に、各々前記筆体１１の筆先部１３の毛細管力よりも小さくなるように設定している。
【００５６】
図１０乃至図１２に示す各凹凸溝部３ｃ、３ｄ、３ｅを筆体保持孔部３の内壁に備える各容器本体２を用いて各々液状化粧料塗布具１Ａを構成した場合においても、各々図７乃至図９に示す構成の前記液状化粧料塗布具１Ａの場合と同様な作用、効果を発揮させることができる。
【００５７】
なお、前記各凹凸溝部３ｂ、３ｃ、３ｄ、３ｅの溝の深さ、幅等は、上述した例に限定されるものではなく、各容器本体２のサイズに応じて適宜変形実施が可能である。
【００５８】
また、凹凸溝部自体の形状も、前記各凹凸溝部３ｂ、３ｃ、３ｄ、３ｅの各形状に限定されるものではなく、適宜変形実施が可能である。
【実施例３】
【００５９】
次に、本発明の実施例３に係る液状化粧料塗布具１Ｂについて図１３、図１４を参照して詳細に説明する。
【００６０】
なお、本発明の実施例３に係る液状化粧料塗布具１Ｂにおいて、上述した実施例１に係る液状化粧料塗布具１の場合と同一の要素には同一の符号を付し、その詳細説明は省略する。
【００６１】
本実施例３に係る液状化粧料塗布具１Ｂは、基本的構成は実施例１に係る液状化粧料塗布具１と略同様であるが、図１３、図１４に示すように、前記容器本体２における筆体保持孔部３を容器本体２の先端側内壁部を最狭孔部とし、また、筆体保持孔部３を容器本体２の内方に至るほど段階的に広径となる例えばテーパー孔形状としたこと、筆体保持孔部３の内壁に前記筆体１１における液状化粧料誘導部１２の外周に密着して真っすぐな状態で保持する４個の突条３ｆを設けたこと、前記テーパー孔形状の筆体保持孔部３によって前記液状化粧料誘導部１２の外周との間に毛細管力発生部である隙間領域Ｇを形成したことが特徴である。
【００６２】
本実施例３に係る液状化粧料塗布具１Ｂによれば、実施例１に係る液状化粧料塗布具１の場合と同様、前記筆体１１を採用することで、目の周りの皮膚等に細密な線を塗布する（描く）ことが可能となる。
【００６３】
また、本実施例３に係る液状化粧料塗布具１Ｂによれば、前記筆体保持孔部３の形状を容器本体２の内方に至るほど段階的に広径となるテーパー孔形状として、前記筆体保持孔部３と前記液状化粧料誘導部１２の外周との間に毛細管力発生部である隙間領域Ｇを形成したものであるから、前記隙間領域Ｇによる液状化粧料に対する毛細管力によって、前記筆体１１の液状化粧料誘導部１２自体が単独で保持できる以上の液状化粧料を前記筆体保持孔部３内に保持することができる。
【００６４】
これにより、前記筆先部１３の液状化粧料が消費された際には前記液状化粧料誘導部１２を経て筆先部１３に液状化粧料を安定して供給することができ、カスレ、筆記不良が生じることが無く、気圧の変化等に対しても安定した筆記性を維持でき長期安定性に優れた液状化粧料塗布具１Ｂとすることができる。
【００６５】
更に、前記液状化粧料誘導部１２と前記筆体保持孔部３の間の隙間領域Ｇは、最狭部分より段階的に広くなるため、その毛細管力は自動的に平衡となり、この隙間領域Ｇに過剰に液状化粧料が保持されることは無く、垂れ等の不具合が発生することも無くなる。
【００６６】
なお、上述した実施例２における筆体保持孔部３の内壁に前記凹凸溝部３ｂ（又は３ｃ、３ｄ、３ｅ）を設ける構造と、実施例３における筆体保持孔部３の内部に前記隙間領域Ｇを設ける構造とを組み合わせた容器本体２を採用すれば、毛細管力を一層有効に利用して、前記液状化粧料誘導部１２を経て筆先部１３に液状化粧料を一層安定して供給することが可能な液状化粧料塗布具を得ることも可能である。
【００６７】
また、上述した実施例１乃至３に係る液状化粧料塗布具１、１Ａ、１Ｂの各構成は、既存した筆ペン仕様の液状化粧料塗布具の技術と併用することも可能である。
【００６８】
具体的には、蛇腹構造のバルク保持構造を持つ筆ペン仕様の液状化粧料塗布具や、容器後端にポンプ構造を持つ筆ペン仕様の液状化粧料塗布具に上述した実施例１乃至３に係る液状化粧料塗布具１、１Ａ、１Ｂの各構成を各々組み合わせることで、対象箇所への液状化粧料の細密な筆記性、塗布性を確保でき、かつ、液状化粧料の供給安定性を実現し、かすれ、筆記不良が生じない高品質の蛇腹構造を持つ液状化粧料塗布具やポンプ構造を持つ液状化粧料塗布具の実現に寄与することが可能となる。
【実施例４】
【００６９】
次に、本発明の実施例４に係る液状化粧料塗布具１Ｃについて図１５乃至図１７を参照して詳細に説明する。
【００７０】
なお、本実施例４に係る液状化粧料塗布具１Ｃにおいて、上述した実施例１に係る液状化粧料塗布具１の場合と同一の要素には同一の符号を付し、その詳細説明は省略する。
【００７１】
図１５に示す実施例４に係る液状化粧料塗布具１Ｃは、実施例１に係る液状化粧料塗布具１と同様な構成であるが、容器本体２における筆体保持孔部３及び筆体保持孔部３内の突条３ａの寸法調整により、筆体保持孔部３内壁と筆体１１における液状化粧料誘導部１３の外周との間のクリアランスを調整し、クリアランスの大小によって液状化粧料に対する毛細管力を大小に調整するように構成したことが特徴である。
【００７２】
図１６は筆体保持孔部３の内径を大きくし、かつ、突条３ａの突出寸法を大きくしてクリアランスＣ１を大きく、したがって隙間領域Ｇを大きくした例を、図１７は筆体保持孔部３の内径を図１６に示す場合よりも小さくし、かつ、突条３ａの突出寸法を小さくしてクリアランスＣ２を図１６に示す場合より小さくし、したがって隙間領域Ｇを小さくした例を各々示している。
【００７３】
本実施例４に係る液状化粧料塗布具１Ｃによれば、前記隙間領域Ｇによる液状化粧料に対する毛細管力によって、前記筆体１１の液状化粧料誘導部１２自体が単独で保持できる以上の液状化粧料を前記筆体保持孔部３内に保持することができ、かつ、クリアランスの大小の調整、すなわち、隙間領域Ｇの大小の調整によって液状化粧料の保持量を調整することができる。
【００７４】
これにより、例えば使用する液状化粧料の種類に応じて隙間領域Ｇを最適に設定し、前記筆先部１３の液状化粧料が消費された際には前記液状化粧料誘導部１２を経て筆先部１３に当該液状化粧料を安定して供給することができ、カスレ、筆記不良が生じることが無く、気圧の変化等に対しても安定した筆記性を維持でき長期安定性に優れた液状化粧料塗布具１Ｃを実現することができる。
【実施例５】
【００７５】
次に、本発明の実施例５に係る液状化粧料塗布具１Ｄについて、図１８を参照して詳細に説明する。
【００７６】
なお、本実施例５に係る液状化粧料塗布具１Ｄにおいて、上述した実施例１に係る液状化粧料塗布具１の場合と同一の要素には同一の符号を付し、その詳細説明は省略する。
【００７７】
本実施例５の液状化粧料塗布具１Ｄは、図１８に示すように、前記容器本体２は、筆体保持孔部３の先端側に、前記筆体１１における先細状の筆先部１３を貫通させるとともに、筆先部１３の基部側１３ａとの間に液状化粧料保持空間１４を形成する先端側孔付き端部２ｄを備える構成としたことが特徴である。
【００７８】
本実施例５に係る液状化粧料塗布具１Ｄによれば、前記液状化粧料保持空間１４内に液状化粧料を保持することができ、前記筆先部１３に当該液状化粧料をより安定して供給することができ、カスレ、筆記不良が生じることが無く、気圧の変化等に対しても安定した筆記性を維持でき長期安定性に優れた液状化粧料塗布具１Ｄを実現することができる。
【００７９】
また、前記先端側孔付き端部２ｄにより、筆先部１３のみを貫通させる構造であることから、筆体１１自体が容器本体２の先方へ飛び出してしまうという不都合を回避できる。
本実施例５に係る液状化粧料塗布具１Ｄにおける容器本体２の先端側に先端側孔付き端部２ｄを設ける構造は、既述した実施例１乃至４に係る各液状化粧料塗布具１、１Ａ、１Ｂ、１Ｃにも各々適用可能である。
【産業上の利用可能性】
【００８０】
本発明は、低粘度の液状化粧料をフェルトペンタイプの筆先に含浸させた構造を有するアイライナー、ネイルカラー等の化粧料塗布具や、筆ペン型の筆記具等に広範に適用可能である。
【符号の説明】
【００８１】
１    液状化粧料塗布具
１Ａ  液状化粧料塗布具
１Ｂ  液状化粧料塗布具
１Ｃ  液状化粧料塗布具
２    容器本体
２ａ  凹部
２ｂ  凹部
２ｃ  突起
２ｄ  先端側孔付き端部
３    筆体保持孔部
３ａ  突条
３ｂ  凹凸溝部
３ｃ  凹凸溝部
３ｄ  凹凸溝部
３ｅ  凹凸溝部
３ｆ  突条
４    内孔
４ａ  中綿用突条
５    栓体
５ａ  突起  
５ｂ  嵌込凸部
６    キャップ体
６ａ  突起
６ｂ  凹部
７    中綿
１１    筆体
１２    液状化粧料誘導部
１３    筆先部
１３ａ  基部
１３ｂ  突出端
１４    液状化粧料保持空間
Ｇ    隙間領域
【図１】
2012019845.tif 000003
【図２】
2012019845.tif 000004
【図３】
2012019845.tif 000005
【図４】
2012019845.tif 000006
【図５】
2012019845.tif 000007
【図６】
2012019845.tif 000008
【図７】
2012019845.tif 000009
【図８】
2012019845.tif 000010
【図９】
2012019845.tif 000011
【図１０】
2012019845.tif 000012
【図１１】
2012019845.tif 000013
【図１２】
2012019845.tif 000014
【図１３】
2012019845.tif 000015
【図１４】
2012019845.tif 000016
【図１５】
2012019845.tif 000017
【図１６】
2012019845.tif 000018
【図１７】
2012019845.tif 000019
【図１８】
2012019845.tif 000020